(57)【要約】【課題】大量の水が一時的にオーバーフローする際にもオーバーフロー水と常時循環水の流量を調節し、オーバーフロー水の量が減少した場合において速やかに通常運転に復帰させる水の循環給水システムを提供する。【解決手段】常時循環路２と、水槽１からオーバーフローした水を一旦オーバーフロー回収タンク６に導入した後に合流点１００で常時循環路に合流させるオーバーフロー循環路５とを備え、制御部Ｃは、第１の流量調節手段を開いて、プールの水Ｗを常時循環路に通水して循環させた後、第２の流量調節手段を開き、オーバーフロー回収タンク６の水を合流させてプールからのオーバーフローを開始させ、オーバーフロー水をオーバーフロー回収タンクに戻し、オーバーフロー回収タンクの水位レベルが所定のレベルになるように、第２の流量調節手段の開度を制御し、プールの水を常時オーバーフローの状態で、通水量の総和を一定に保った通常運転をする。【選択図】図１
2012036713.tif 000002
【特許請求の範囲】
【請求項１】
水槽内の水を常時循環させる常時循環路と、
水槽からオーバーフローした水を一旦オーバーフロー回収タンクに導入した後に合流点で常時循環路に合流させるオーバーフロー循環路とを備え、
常時循環路における前記合流点の上流側に第１の流量調節手段を設置するとともに、
オーバーフロー循環路における前記合流点の上流側に第２の流量調節手段を設置し、
制御部は、
運転開始時において、
常時循環路の第１の流量調節手段を開いて、
水槽の水を常時循環路に通水して循環させた後、
第２の流量調節手段を開いて、
オーバーフロー回収タンクの水を、上記すでに循環を開始している常時循環回路の循環水と合流点において合流させて、水槽からのオーバーフローを開始させ、
オーバーフロー水をオーバーフロー回収タンクに戻し、
オーバーフロー回収タンクの水位レベルを水位センサーで測定し、
オーバーフロー回収タンクの水位レベルが所定のレベルになるように、
第２の流量調節手段の開度を制御し、
水槽の水を常時オーバーフローの状態で、通水量の総和を一定に保った通常運転をするとともに、
この時点での第１の流量調節手段及び第２の流量調節手段の開度を記憶し、
水槽からのオーバーフロー水が急増した異常運転時において、
水位レベルが上昇したオーバーフロー回収タンクの水位センサーからの信号を検知して、
第２の流量調節手段を急速に開いてオーバーフロー循環路の循環通水量を増加させ、上昇するオーバーフロー回収タンクの水位レベルの上昇を抑え、
その一方で、常時循環回路からの循環水を減少させるため、第１の流量調節手段の開度を絞り、
オーバーフロー回収タンクの水位レベルが上記通常運転時の水位レベルに戻った時点で、
第１の流量調節手段及び第２の流量調節手段の開度を前記記憶した開度に戻し、通常運転時の状態に復帰させることを特徴とする水の循環給水システム。
【請求項２】
前記制御部は、
水槽の底に設けた超音波などを利用する水位センサーからの信号を受けて、
所定値よりも水槽の水位レベルが低い場合は、
補給路に設けられた電動式開閉弁を開にして補給水をオーバーフロー回収タンクに供給して、水槽の水位レベルを上げ、
所定値よりも水位レベルが高い場合は、
補給路に設けられた電動式開閉弁を閉にすることを特徴とする請求項１に記載の水の循環給水システム。
【請求項３】
前記第１の流量調節手段が常時循環水調節バルブであり、
前記第２の流量調節手段がオーバーフロー水調節バルブであることを特徴とする。
【請求項４】
前記第１の流量調節手段が濾過ポンプであり、
前記第２の流量調節手段がオーバーフロー回収ポンプであることを特徴とする。
【発明の詳細な説明】
【技術分野】
【０００１】
本発明は、プールや大型浴槽のように、一度に多数人が入る水槽等において、運転開始時から速やかに通常運転に移行し、プール等の水槽において大量の水が一時的にオーバーフローするような異常時の際にもオーバーフロー水と常時循環水の流量を調節し、オーバーフロー水の量が減少した場合において速やかに通常運転に復帰させることができる水の循環給水システムに関する。
【背景技術】
【０００２】
プールや大型浴槽に用いられる水の循環給水システムとしては、例えば特許文献１に記載されているような循環給水システムがある。
すなわち、プール等の水槽内の水を、常時濾過器を通して循環させる常時循環路と、水槽からオーバーフローした水を一旦オーバーフロー回収タンクに導入した後に前記常時循環路に合流させるオーバーフロー循環路とを備え、前記オーバーフロー回収タンクにおけるオーバーフロー時に、前記オーバーフロー回収タンクに対してそのオーバーフロー量に相応する給水を行うとともに、循環する水の総量を一定にしたまま、オーバーフロー回収タンクにおけるオーバーフローによって減少した場合に補給をすることによって、排水を最小限に抑えるようにしている。
【先行技術文献】
【特許文献】
【０００３】
【特許文献１】特開２００１−３４９０７５号公報
【発明の概要】
【発明が解決しようとする課題】
【０００４】
しかしながら、特許文献１に記載の水の循環給水システムにあっては、プール底部吸込、側面吐出を基本とする常時オーバーフロー（見せかけ上溢れている）回収システムであった。節水効果は、従来の技術より優れている。しかし、その後、アクアビクス等などにおいて、オーバーフロー回収タンクに大量にプール水が還ってくると、オーバーフロー回収ポンプの能力を超えたプール水が、オーバーフロー回収タンクの容量（高さ）を超えオーバーフロー回収タンクの排水路より排水される（溢れる）現象が見られるようになった。
排水された分のプール水は、一定の補給水量しか補う事が出来ず、オーバーフロー回収タンクから大量の排水が有った場合、プール水位の回復に時間がかかり、プールプログラムの休憩時間内にプール水位が回復出来ないという問題点があった。
【０００５】
本発明は、このような問題点を解消するものであり、水槽内の水を循環させるシステムにおいて、運転開始時から速やかに通常運転に移行し、プール等の水槽において大量の水が一時的にオーバーフローするような異常時の際にもオーバーフロー水と常時循環水の流量を調節し、オーバーフロー水の量が減少した場合において速やかに通常運転に復帰させることができる水の循環給水システムを提供することを目的とする。
また、本発明の他の課題として、オーバーフロー回収タンクへの水の補給が従来よりも少なくすることができ、水の節約につながる水の循環給水システムを提供することを目的とする。
【課題を解決するための手段】
【０００６】
（１）本発明の水の循環給水システムは、
水槽内の水を常時循環させる常時循環路と、
水槽からオーバーフローした水を一旦オーバーフロー回収タンクに導入した後に合流点で常時循環路に合流させるオーバーフロー循環路とを備え、
常時循環路における前記合流点の上流側に第１の流量調節手段を設置するとともに、
オーバーフロー循環路における前記合流点の上流側に第２の流量調節手段を設置し、
制御部は、
運転開始時において、
常時循環路の第１の流量調節手段を開いて、
水槽の水を常時循環路に通水して循環させた後、
第２の流量調節手段を開いて、
オーバーフロー回収タンクの水を、上記すでに循環を開始している常時循環回路の循環水と合流点において合流させて、水槽からのオーバーフローを開始させ、
オーバーフロー水をオーバーフロー回収タンクに戻し、
オーバーフロー回収タンクの水位レベルを水位センサーで測定し、
オーバーフロー回収タンクの水位レベルが所定のレベルになるように、
第２の流量調節手段の開度を制御し、
水槽の水を常時オーバーフローの状態で、通水量の総和を一定に保った通常運転をするとともに、
この時点での第１の流量調節手段及び第２の流量調節手段の開度を記憶し、
水槽からのオーバーフロー水が急増した異常運転時において、
水位レベルが上昇したオーバーフロー回収タンクの水位センサーからの信号を検知して、
第２の流量調節手段を急速に開いてオーバーフロー循環路の循環通水量を増加させ、上昇するオーバーフロー回収タンクの水位レベルの上昇を抑え、
その一方で、常時循環回路からの循環水を減少させるため、第１の流量調節手段の開度を絞り、
オーバーフロー回収タンクの水位レベルが上記通常運転時の水位レベルに戻った時点で、
第１の流量調節手段及び第２の流量調節手段の開度を前記記憶した開度に戻し、通常運転時の状態に復帰させることを特徴とする。
（２）本発明の水の循環給水システムは、前記（１）において、
前記制御部は、
水槽の底に設けた超音波などを利用する水位センサーからの信号を受けて、
所定値よりも水槽の水位レベルが低い場合は、
補給路に設けられた電動式開閉弁を開にして補給水をオーバーフロー回収タンクに供給して、水槽の水位レベルを上げ、
所定値よりも水位レベルが高い場合は、
補給路に設けられた電動式開閉弁を閉にすることを特徴とする。
（３）本発明の水の循環給水システムは、前記（１）又は（２）において、
前記第１の流量調節手段が常時循環水調節バルブであり、
前記第２の流量調節手段がオーバーフロー水調節バルブであることを特徴とする。
（４）本発明の水の循環給水システムは、前記（１）又は（２）において、
前記第１の流量調節手段が濾過ポンプであり、
前記第２の流量調節手段がオーバーフロー回収ポンプであることを特徴とする。
【発明の効果】
【０００７】
本発明に係る水の循環給水システムは、水槽内の水を循環させるシステムにおいて、運転開始時から速やかに通常運転に移行し、プール等の水槽において大量の水が一時的にオーバーフローするような異常時の際にもオーバーフロー水と常時循環水の流量を調節し、オーバーフロー水の量が減少した場合において速やかに通常運転に復帰させることができる。
また、本発明の水の循環給水システムの使用によって、オーバーフロー回収タンクへの水の補給が従来よりも少なくすることができ、水の節約につながる。
【図面の簡単な説明】
【０００８】
【図１】本発明の実施形態１に係る水の循環給水システムのフローシート図である。
【図２】本発明の実施形態２に係る水の循環給水システムのフローシート図である。
【図３】実施例の水の循環給水システムにおいて、運転開始から通常運転および異常運転に移行する場合の常時循環路とオーバーフロー循環路の通水量の変動を示すグラフである。
【発明を実施するための形態】
【０００９】
本発明に係る水の循環給水システムは、水槽１内の水を常時循環させる常時循環路２と、水槽１からオーバーフローした水を一旦オーバーフロー回収タンク６に導入した後に合流点１００で常時循環路２に合流させるオーバーフロー循環路５とを備え、常時循環路２における前記合流点１００の上流側に第１の流量調節手段２１（２９）を設置するとともに、オーバーフロー循環路５における前記合流点１００の上流側に第２の流量調節手段５３（５９）を設置し、
制御部Ｃは、運転開始時において、常時循環路２の第１の流量調節手段（常時循環水調節バルブ２９）を開いて、水槽の水Ｗを常時循環路２に通水して循環させた後、第２の流量調節手段（オーバーフロー水調節バルブ５９）を開いて、オーバーフロー回収タンク６の水を、上記すでに循環を開始している常時循環回路２の循環水と合流点１００において合流させて、水槽からのオーバーフローを開始させ、オーバーフロー水をオーバーフロー回収タンク６に戻し、オーバーフロー回収タンク６の水位レベルを水位センサー９で測定し、オーバーフロー回収タンク６の水位レベルが所定のレベルになるように、第２の流量調節手段（オーバーフロー水調節バルブ５９）の開度を制御し、水槽１の水を常時オーバーフローの状態で、通水量の総和を一定に保った通常運転をするとともに、この時点での常時循環水調節バルブ２９及びオーバーフロー水調節バルブ５９の開度を記憶し、水槽からのオーバーフロー水が急増した異常運転時において、水位レベルが上昇したオーバーフロー回収タンク６の水位センサー９からの信号を検知して、オーバーフロー水調節バルブ５９を急速に開いてオーバーフロー循環路５の循環通水量を増加させ、上昇するオーバーフロー回収タンク６の水位レベルの上昇を抑え、その一方で、常時循環回路２からの循環水を減少させるため、常時循環水調節バルブ２９の開度を絞り、オーバーフロー回収タンク６の水位レベルが上記通常運転時の水位レベルに戻った時点で、常時循環水調節バルブ２９及びオーバーフロー水調節バルブ５９の開度を前記記憶した開度に戻し、通常運転時の状態に復帰させるように調整する。
【００１０】
このような水の循環給水システムにおける制御方法は、以下のようにして行うことができる。
すなわち、
（Ａ）＜水槽底部吸込配管及びオーバーフロー回収タンク吸込配管をバルブ制御する方法＞
このバルブ制御する方法においては、水槽底部吸込配管及びオーバーフロー回収タンク吸込配管を同口径とし、オーバーフロー回収タンクの水位をセンサー（例えば、超音波センサー・微差圧センサー等）で測定する。
オーバーフロー回収タンクの水位が急激に上昇した場合は、オーバーフロー回収タンク配管に設置したバルブ（例えば、比例制御等）の開度を高め、水槽底部吸込配管に設置したバルブ（例えば、比例制御等）の開度を下げる。
オーバーフロー回収タンクの水位が下降した場合は、オーバーフロー回収タンク配管に設置したバルブ（例えば、比例制御等）の開度を下げ、水槽底部吸込配管に設置したバルブ（例えば、比例制御等）の開度を上げる。
水槽底部吸込配管に設置したバルブ（例えば、比例制御等）とオーバーフロー回収タンク配管に設置したバルブ（例えば、比例制御等）の開度を調節し、それぞれの通水量を調節する。
【００１１】
（Ｂ）＜濾過ポンプ及びオーバーフロー回収ポンプの回転効率を制御する方法＞
この制御方法は、濾過ポンプ及びオーバーフロー回収ポンプの能力を同一化しオーバーフロー回収タンクの水位をセンサー（例えば、超音波センサー・微差圧センサー等）で測定する。
オーバーフロー回収タンクの水位が急激に上昇した場合は、オーバーフロー回収ポンプのポンプモーターの回転効率（例えば、インバーター等）を上げ、濾過ポンプのポンプモーターの回転効率（例えば、インバーター等）を下げる。
オーバーフロー回収タンクの水位が下降した場合は、オーバーフロー回収ポンプのポンプモーターの回転効率（例えば、インバーター等）を下げ、濾過ポンプのポンプモーターの回転効率（例えば、インバーター等）を上げよう制御する。
【００１２】
上記（Ａ）又は（Ｂ）の方法による制御の実行により、運転開始時から速やかに通常運転に移行し、プール等の水槽において大量の水が一時的にオーバーフローするような異常時の際にもオーバーフロー水と常時循環水の流量を調節し、オーバーフロー水の量が減少した場合において速やかに通常運転に復帰させることができる。
また、オーバーフロー回収タンクへの水の補給が従来よりも少なくすることができ、水の節約を図ることができる。
さらに、オーバーフロー回収タンクの排水路より排水されるプール水が少ない為、プールプログラムの休憩時間内にプール水位を回復する可能性を従来のシステムよりも向上させることができる。
なお、（Ｂ）のシステムは濾過ポンプ及びオーバーフロー回収ポンプを使用するが、（Ａ）のシステムはオーバーフロー回収ポンプの設置が不要である。
【００１３】
＜実施形態１＞
以下、本発明の水の循環給水システムの実施形態１を、図面を用いて説明する。
図１は、実施形態１に係る水の循環給水システムのフローシート図である。
図１に示すように、実施形態１に係る水の循環給水システムは、プール（水槽）１、このプール１の底部に設置された環水口１１、このプール１の側面に設置された給水口１２、このプール１の上面周囲に設置されたオーバーフロー溝１３を備えている。
【００１４】
また、常時循環路２は、環水口１１、１１と給水口１２、１２とを繋いでいる。環水口１１，１１から吸引されたプール１の水Ｗは、常時循環路２を循環しながら濾過され、給水口１２，１２を介してプール１に戻される（矢印方向）。
【００１５】
濾過ポンプ２１は制御部Ｃに基づいて作動する。また、除毛器２２は、常時循環路２における濾過ポンプ２１の上流側（プール１方向、反対方向を下流という。以下において同じ）に設置されている。この除毛器２２は、濾過ポンプ２１に流れ込むプールの水に混じった毛髪類を除去するためのものである。
【００１６】
常時循環水調節バルブ２９（第１の流量調節手段）は、常時循環路２における除毛器２２の上流側に設置されている。常時循環水調節バルブ２９は、電動式開閉弁（以下において電動式開閉弁は開閉弁の一例を示す）であり、その開度を前記制御部Ｃによって調節され、環水口１１，１１から吸引され、濾過ポンプ２１に流れるプール１の水Ｗの通水量を調節する。
【００１７】
濾過タンク２３は、常時循環路２における濾過ポンプ２１の下流側に設置されている。循環する水はこの濾過タンク２３を通過することによって濾過される。
【００１８】
熱交換器やボイラー等の熱源２５は、常時循環路２における濾過タンク２３の下流側に設置されている。循環する水は熱源２５を通過することによって所定の温度に維持される。
なお、温度調節用の弁としての一例である電動式三方向弁２５１は、制御部Ｃによって制御され、熱源２５への給湯を調節して、その設定温度を調節する。
【００１９】
殺菌装置４０は、殺菌剤注入路４１を介して、常時循環路２における濾過ボンプ２１の下流側に繋がれており、制御部Ｃを介して作動することによって、常時循環路２を循環する水に定期的に殺菌剤が注入されるようになっている。
【００２０】
プール１の水Ｗは、濾過ポンプ２１の作動によって、環水口１１，１１から吸引され、常時循環路２を循環しながら、除毛器２２によって毛髪などを除去し、濾過タンク２３によって濾過され、熱源２５によって所定の温度に維持され、殺菌された状態で、給水口１２，１２を介してプール１に還流される。
【００２１】
排水路３は、プール１における環水口１１，１１近傍において、常時循環路２にバルブ３１を介して繋がれている。排水路３は、原則としてプール１内の水Ｗを排水する場合に使用される。
なお、排水路３には濾過タンク２３からの排水路３２も合流している。これは、不用となった濾過タンク２３内のドレンを排水及び逆洗排水するためである。
実施形態１における逆洗排水時には、オーバーフロー水調節バルブ（第２の流量調節手段）を全閉にし常時循環水調節バルブ（第１の流量調節手段）を全開にする。
また、後述する実施形態２における逆洗排水時には、オーバーフロー回収ポンプ（第２の流量調節手段）を停止し濾過ポンプ（第１の流量調節手段）のみ運転する。
【００２２】
次に、オーバーフロー回収タンク６は、オーバーフロー流入路（オーバーフロー循環路）５１を介して、プール１のオーバーフロー溝１３に繋がれている。プール１内の水Ｗがオーバーフローすると、オーバーフロー水Ｗは、オーバーフロー溝１３に浸入する。
そして、オーバーフロー流入路５１、流量計１０１を介して、オーバーフロー回収タンク６に流れ込み、一時的に貯留される。オーバーフローしたプール１の水Ｗの量は流量計１０１によって計測され、制御部Ｃに送信される。
なお、オーバーフロー回収タンク６には常時、一定量の水が貯留されており、この一定量の水の水位を所定の水位とすることもできる。
【００２３】
オーバーフロー流出路（オーバーフロー循環路）５２は、上流端を前記オーバーフロー回収タンク６に繋ぎ、下流端をオーバーフロー水調節バルブ５９（第２の流量調節手段）を介して常時循環路２における常時循環水調節バルブ２９の下流側に合流している。
オーバーフロー水調節バルブ５９は電動式開閉弁であり、その開度を制御部Ｃによって調節され、オーバーフロー回収タンク６から吸引され、濾過ポンプ２１に流れる通水量を調節する。
オーバーフロー水調節バルブ５９の通水量及び常時循環水調節バルブ２９の通水量は、
制御部Ｃを介して各々のその開度を調節し、それらの合流点１００での通水量の総和が制御されるようになっている。
ここで、総和とは、プール１、オーバーフロー回収タンク６、常時循環路２及びオーバーフロー循環路５２に貯留されている水の総量をいう。
【００２４】
なお、オーバーフロー流入路５１とオーバーフロー流出路５２とによって、オーバーフロー循環路５が構成される。
【００２５】
なお、排水路（オーバーフロー回収タンク６の）５７は、オーバーフロー回収タンク６内の清掃等を行う時の排水路である。
【００２６】
オーバーフロー回収タンク６に給水をするための補給路７は、途中に例えば電動式開閉弁７１が設置されている。電動式開閉弁７１を制御部Ｃからの信号によって開放することによって、オーバーフロー回収タンク６に給水することができる。
なお、電動式開閉弁７１と平行に手動コック７２も設置され、手動によっても給水可能にしている。
実施形態１における給水時には、制御部Ｃからの信号によって、オーバーフロー水調節バルブ（第２の流量調節手段）を全開にし常時循環水調節バルブ（第１の流量調節手段）を全閉にする。
また、後述する実施形態２における給水時には、制御部Ｃからの信号によって、オーバーフロー回収ポンプ（第２の流量調節手段）を運転し濾過ポンプ（第１の流量調節手段）停止する。
【００２７】
レベル計８１は、オーバーフロー回収タンク６に２台設置されている。このレベル計８１は５Ｐ電極（上方の電極から下方に向かって順次１Ｐ電極、２Ｐ電極・・・という）からなり、水位の上限・下限を検知して制御部Ｃへ信号を送信する。
即ち、２Ｐ電極及び３Ｐ電極によって水位の下限を検知し制御部Ｃへ信号を送信して、制御部Ｃからの信号によって電動式開閉弁７１を開放して、オーバーフロー回収タンク６への給水を開始し、水位の上限を検知し制御部Ｃへ信号を送信して、制御部Ｃからの信号によって電動式開閉弁７１を閉止して、前記オーバーフロー回収タンク６への給水を停止する。
また、濾過ポンプ又はオーバーフロー回収ポンプの空転防止のため、別の電極２Ｐ電極及び３Ｐ電極からの信号を制御部Ｃへ送信して、制御部Ｃからの信号によって、それらのポンプの入切制御をする。これらの制御はすべて制御部（制御盤）Ｃを介して行われる。
【００２８】
水位センサー９は、オーバーフロー回収タンク６の上部又は下部に設置されている。この水位センサー９は例えば超音波によって、その設置位置から水面までの距離を計測することによって、オーバーフロー回収タンク６の水位を計測し制御部Ｃへ信号を送信する。
そして、制御部Ｃを介して、所定の範囲内において、水位に応じてオーバーフロー水調節バルブ５９の開度を調節して通水量を変動させ、オーバーフロー回収タンク６の水位が高くなったときに大きくし、低くなったときに小さくするように制御する。
すなわち、常時循環水調節バルブ２９の通水量は、その総和が一定の範囲内において、オーバーフロー回収タンク６の水位が高くなったときに小さくし、低くなったときに大きくするように制御する。
【００２９】
なお、オーバーフロー水調節バルブ５９の通水量及び常時循環水調節バルブ２９の通水量は、制御部Ｃからの信号によって、各々のバルブの開度を制御することによって調節される。
この場合、これらの通水量は、常時循環水調節バルブ２９、オーバーフロー水調節バルブ５９の下流に設けた流量計１０１，１０１で計測した通水量の信号を制御部Ｃに送信し、
また、合流点１００の下流点に設けた流量計１０１で計測した通水量の信号を制御部Ｃに送信し、通水量の総和を確認することができる。
なお、制御部Ｃによって、常時循環水調節バルブ２９の通水量及びオーバーフロー水調節バルブ５９の通水量をそれぞれ制御し、合流点１００に流れ込む通水量の総和を制御するようにしている。
【００３０】
＜本システム全体の制御＞
＜通常運転時の、常時循環水調節バルブ２９（第１の流量調節手段）及びオーバーフロー水調節バルブ５９（第２の流量調節手段）の開度の設定＞
まずは、通常運転時の、第１の流量調節手段（常時循環水調節バルブ２９）の開度及び第２の流量調節手段（オーバーフロー水調節バルブ５９）の開度の設定を行う。
すなわち、図３に示すように、前回の運転停止状態から、本実施形態の水の循環給水システムを再起動する場合は、水槽（プール）１はオーバーフロー寸前の状態であるので、常時循環水調節バルブ２９（第１の流量調節手段）を制御部Ｃからの指令により全開の状態にして、常時循環路において通水し循環させる。
この状態では、プール水は、オーバーフローせずに常時循環路を循環しているので、プールのレベルは変化しない。
【００３１】
次に、オーバーフロー回収タンク６に溜まっている水を、第２の流量調節手段（オーバーフロー水調節バルブ５９）を制御部Ｃからの指令により開の状態にして、上記すでに循環している常時循環回路の循環水と合流点においてさせる。
すると、プール１の水はオーバーフローして、オーバーフロー溝１３からオーバーフロー回収タンク６に入り、オーバーフロー回収タンク６のレベルが上昇し、このときの水位レベルをレベル計８１及び水位センサー９で逐次計測し、そのデータを制御部Ｃへ送信する。
【００３２】
次に、制御部Ｃは、レベル計８１，水位センサー９からの信号を受信して、第２の流量調節手段（オーバーフロー水調節バルブ５９）をさらに大きく開くように信号を送り、上昇基調にあるオーバーフロー回収タンクの水位レベルの上昇を抑え、所定の水位レベルを維持するようにオーバーフロー水調節バルブ５９の開度を制御する。
この時点で、プール１の水は、常時循環回路２を通って循環するとともに、オーバーフロー水をオーバーフロー溝１３からオーバーフロー回収タンク６に回収され、常時循環路２及びオーバーフロー循環路５を循環する通水量のバランスが保たれた状態になる。
このときの、常時循環水調節バルブ２９及びオーバーフロー水調節バルブ５９の開度を制御部Ｃに記憶させる（記憶１）。
【００３３】
この常時循環水調節バルブ２９及びオーバーフロー水調節バルブ５９の開度は、オーバーフロー水をどの程度の量にするかのバランスをとるようにする。
オーバーフロー水の量は、オーバーフロー流入路５１の途中に設けた流量計１０１からの信号によって把握できる。
【００３４】
また、実施形態における水の循環給水システムにおいて、制御部Ｃは、プールの底に設けた超音波などを利用する水位センサー１ａからの信号を受けて、所定値よりもプールの水位レベルが低い場合は、補給路７に設けられた電動式開閉弁７１を開にして補給水をオーバーフロー回収タンク６に供給して、プールの水位レベルを上げ、所定値よりも水位レベルが高い場合は、補給路７に設けられた電動式開閉弁７１を閉にする制御を実行することもできる。
これにより、循環路における水の漏れがあった場合などにおいて、プールの水位レベルを速やかに通常のレベルに戻すことができる。
【００３５】
＜異常運転時の、常時循環水調節バルブ２９（第１の流量調節手段）及びオーバーフロー水調節バルブ５９（第２の流量調節手段）の開度の設定＞
たとえば、大勢の人が一度に入ったときなどには、プールからのオーバーフロー水が急増し、オーバーフロー回収タンク６の水位レベルが急上昇するので、レベル計８１及び水位センサー９からの信号を検知して、制御部Ｃは、オーバーフロー水調節バルブ５９を急速に開いてオーバーフロー循環路５の循環通水量を増加させ、上昇するオーバーフロー回収タンク６の水位レベルの上昇をストップさせる。
その一方で、常時循環回路２からの循環水を少なくするため、常時循環水調節バルブ２９の開度を絞るように制御する。
【００３６】
＜通常運転状態への復帰＞
オーバーフロー回収タンク６の水位レベルの上昇がストップし、上記の通常運転時の水位レベルに戻ったら、制御部Ｃは、常時循環水調節バルブ２９及びオーバーフロー水調節バルブ５９の開度を前記記憶１の開度に戻し、通常運転時の状態に復帰させる。
【００３７】
このような制御の結果、大人数が一度にプールに入水するアクアビクス等などで大量のプール水がオーバーフロー回収タンクに還ってきたときにおいて、実施形態１の循環給水システムでは、オーバーフロー回収タンクの水位は５００ｍｍ程度で安定している。この事からオーバーフロー回収タンク６の排水路５６より排水される事は、殆ど無い。
したがって、オーバーフロー回収タンクの高さを低くすることができ、省スペース、コスト削減につながる。
【００３８】
＜実施形態１の作用効果＞
実施形態１の循環給水システムは、オーバーフロー回収タンクにおいて水の補給が従来よりも少なくなり、また、水の補給が少なくなるため給水した際に一時的に下がる水（循環している水）の温度を加熱して元の温度にする手間も少なくなる。
さらに、従来２台必要としていたポンプが濾過ポンプ１台のみで済むため、装置自体がコンパクトになり、施工がしやすいとともに設置スペースが少なくてすみ、更に、装置のメンテナンスが従来よりも容易になる。この結果、プール等における水の循環給水システムに利用することができる。
【００３９】
＜実施形態２＞
図２は実施形態２に係る水の循環給水システムのフローシート図である。
実施形態２では、実施形態１と同一の部分は、同じ符号で示し、その説明を省略する。
【００４０】
図２において、濾過ポンプ２１（第１の流量調節手段）の作動によって常時循環路２をプールの水Ｗは強制循環するようにしており、濾過ポンプ２１の運転効率は制御部Ｃに基づいてインバーター等によってアナログ的に調節している。
【００４１】
濾過タンク２３は、電動式開閉弁２４を介して、常時循環路２における濾過ポンプ２１の下流側に設置されている。循環する水はこの濾過タンク２３を通過することによって濾過される。
電動式開閉弁２４は制御部Ｃによって制御され、濾過ポンプ２１が作動して常時循環路２に循環水が流れる場合にのみ開放し、循環水が流れない場合には閉止される。
【００４２】
プール１の水Ｗは、濾過ポンプ２１の作動によって、常時循環路２を循環しながら、除毛器２２によって毛髪類を除去され、濾過タンク２３によって濾過され、熱交換器２５によって所定の温度に維持されている。
【００４３】
オーバーフロー流出路（オーバーフロー循環路）５２は、上流端をオーバーフロー回収タンク６に繋ぎ、下流端を常時循環路２における電動式開閉弁２４の下流側に合流している。
即ち、電動式開閉弁２４および濾過ポンプ２１は、常時循環路２におけるこのオーバーフロー流出路５２の合流点１００よりも上流側に設置されている。
【００４４】
なお、オーバーフロー流入路５１とオーバーフロー流出路５２とによって、実施形態２の「オーバーフロー循環路」が構成される。
【００４５】
オーバーフロー回収ポンプ５３（第２の流量調節手段）は、オーバーフロー流出路５２の途中に設置されている。
オーバーフロー回収ポンプ５３の作動によってオーバーフロー回収タンク６に貯留しているオーバーフロー水は常時循環路２に合流し、プールの水Ｗとして強制循環する。
オーバーフロー回収ポンプ５３の運転効率（通水量）及び濾過ポンプ２１の運転効率（通水量）は、各々のインバーター等によって制御され、各運転効率（通水量）の総和が調節される。
【００４６】
なお、実施形態２の場合においても、これらの通水量は、オーバーフロー回収ポンプ５３の下流に設けた流量計１０１、濾過ポンプ２１の下流に設けた流量計１０１、及び合流点１００の下流点に設けた流量計１０１によって確認できる。
なお、制御部Ｃによって、オーバーフロー回収ポンプ５３の通水量及び濾過ポンプ２１の通水量をそれぞれ制御し、合流点１００に流れ込む通水量の総和を調整するように、本システム全体を制御するようにしている。
【００４７】
特殊除毛器５４は、オーバーフロー流出路５２におけるオーバーフロー回収ポンプ５３の上流側に設置されている。特殊除毛器５４はオーバーフロー流出路５２を流れるオーバーフロー水に混じった汚れ及び毛髪類を除去するためのものである。
特殊除毛器５４は、設置されない場合も有る。
なお、オーバーフロー回収用の電動式開閉弁５５は、オーバーフロー流出路５２におけるオーバーフロー回収ポンプ５３の下流側に設置されている。
オーバーフロー回収用の電動式開閉弁５５は、オーバーフロー回収ポンプ５３が作動してオーバーフロー流出路５２にオーバーフロー水が流れる場合にのみ開放し、オーバーフロー水が流れない場合には閉止される。
【００４８】
水位センサー９は、オーバーフロー回収タンク６の上部又は下部に設置されている。この水位センサー９は例えば超音波によって、その設置位置から水面までの距離を計測することによって、オーバーフロー回収タンク６の水位を計測する。そして、制御部Ｃを介して、所定の範囲内において、水位に応じてオーバーフロー回収ポンプ５３の運転効率を変動させ、水位が高くなったときに大きく、低くなったときに小さくなる。
すなわち、濾過ポンプ２１の運転効率は、オーバーフロー回収タンク６の水位が高くなったときに小さく、低くなったときに大きくなる。
【００４９】
＜実施形態２の作用効果＞
実施形態２のシステムは、オーバーフロー回収タンクにおいて水の補給が従来よりも少なくなるとともに水の補給が少なくなるため給水した場合に一時的に下がる水（循環している水）の温度を加熱して元の温度にする手間も少なくなる結果、プール等における水の循環給水システムに利用することができる。
【産業上の利用可能性】
【００５０】
従来、浴槽等水量の少ないオーバーフロー回収システムは、入浴者が浴槽等から出た場合に水面の低下が起こり、回復に時間がかかる為、水位の回復を早める事を目的に、浴槽等に直接水位を測るレベル計を設置する事を余儀なくされ、この事により余分な補給水が供給されていたが、本発明の水の循環給水システムの使用によって、水位の回復能力を従来より早くでき、オーバーフロー回収タンクを従来より小型化でき、レベル計を設置しなくても良い可能性も有る。この事により節水効果、燃料費削減効果が得られる可能性が高い。また、水景施設（滝のオーバーフロー等）に応用が可能になる。
よって、本発明の水の循環給水システムは産業上の利用可能性が極めて高い。
【符号の説明】
【００５１】
Ｗ  …プール（水槽）の水
Ｃ  …制御部
１  …プール（水槽）
１１  …環水口
１２  …給水口
１３  …オーバーフロー溝
２  …常時循環路
２１  …濾過ポンプ（実施形態２の第１の流量調節手段）
２２  …除毛器
２３  …濾過タンク
２４  …電動式開閉弁
２５  …熱交換器，ボイラー等の熱源
２５１  …温度調節用の電動三方向弁
２９  …常時循環水調節バルブ（実施形態１の第１の流量調節手段）
３  …排水路
３１  …バルブ
４０  …殺菌装置
４１  …殺菌剤注入路
５  …オーバーフロー循環路
５１  …オーバーフロー流入路（オーバーフロー循環路）
５２  …オーバーフロー流出路（オーバーフロー循環路）
５３  …オーバーフロー回収ポンプ（実施形態２の第２の流量調節手段）
５４  …特殊除毛器
５５  …オーバーフロー回収用の電動式開閉弁
５６  …排水路（オーバーフロー回収タンクオーバーフロー排水の）
５７  …排水路（オーバーフロー回収タンクの）
５９  …オーバーフロー水調節バルブ（実施形態１の第２の流量調節手段）
６  …オーバーフロー回収タンク
７  …補給路
７１  …電動式開閉弁
７２  …手動コック
８１  …レベル計
９  …水位センサー
１００  …合流点
１０１  …流量計
【図１】
2012036713.tif 000003
【図２】
2012036713.tif 000004
【図３】
2012036713.tif 000005
【手続補正書】
【提出日】平成23年11月7日(2011.11.7)
【手続補正１】
【補正対象書類名】特許請求の範囲
【補正対象項目名】全文
【補正方法】変更
【補正の内容】
【特許請求の範囲】
【請求項１】
水槽内の水を常時循環させる常時循環路と、
水槽からオーバーフローした水を一旦オーバーフロー回収タンクに導入した後に合流点で常時循環路に合流させるオーバーフロー循環路とを備え、
常時循環路における前記合流点の上流側に第１の流量調節手段を設置するとともに、
オーバーフロー循環路における前記合流点の上流側に第２の流量調節手段を設置し、
制御部は、
運転開始時において、
常時循環路の第１の流量調節手段を開いて、
水槽の水を常時循環路に通水して循環させた後、
第２の流量調節手段を開いて、
オーバーフロー回収タンクの水を、上記すでに循環を開始している常時循環回路の循環水と合流点において合流させて、水槽からのオーバーフローを開始させ、
オーバーフロー水をオーバーフロー回収タンクに戻し、
オーバーフロー回収タンクの水位レベルを水位センサーで測定し、
オーバーフロー回収タンクの水位レベルが所定のレベルになるように、
第２の流量調節手段の開度を制御し、
水槽の水を常時オーバーフローの状態で、通水量の総和を一定に保った通常運転をするとともに、
この時点での第１の流量調節手段及び第２の流量調節手段の開度を記憶し、
水槽からのオーバーフロー水が急増した異常運転時において、
水位レベルが上昇したオーバーフロー回収タンクの水位センサーからの信号を検知して、
第２の流量調節手段を急速に開いてオーバーフロー循環路の循環通水量を増加させ、上昇するオーバーフロー回収タンクの水位レベルの上昇を抑え、
その一方で、常時循環回路からの循環水を減少させるため、第１の流量調節手段の開度を絞り、
オーバーフロー回収タンクの水位レベルが上記通常運転時の水位レベルに戻った時点で、
第１の流量調節手段及び第２の流量調節手段の開度を前記記憶した開度に戻し、通常運転時の状態に復帰させる水の循環給水システムであって、
前記水槽の水を常時オーバーフローの状態で通水量の総和を一定に保った通常運転は、
第１の流量調節手段及び第２の流量調節手段の下流に設けた流量計で計測した通水量の信号を制御部に送信し、
また、合流点の下流点に設けた流量計で計測した通水量の信号を制御部Ｃに送信し、
制御部によって、第１の流量調節手段の通水量及び第２の流量調節手段の通水量をそれぞれ制御し、合流点に流れ込む通水量の総和を制御するようにすることを特徴とする水の循環給水システム。
【請求項２】
前記制御部は、
水槽の底に設けた超音波などを利用する水位センサーからの信号を受けて、
所定値よりも水槽の水位レベルが低い場合は、
補給路に設けられた電動式開閉弁を開にして補給水をオーバーフロー回収タンクに供給して、水槽の水位レベルを上げ、
所定値よりも水位レベルが高い場合は、
補給路に設けられた電動式開閉弁を閉にすることを特徴とする請求項１に記載の水の循環給水システム。
【請求項３】
前記第１の流量調節手段が常時循環水調節バルブであり、
前記第２の流量調節手段がオーバーフロー水調節バルブであることを特徴とする請求項１又は２に記載の水の循環給水システム。
【請求項４】
前記第１の流量調節手段が濾過ポンプであり、
前記第２の流量調節手段がオーバーフロー回収ポンプであることを特徴とする請求項１又は２に記載の水の循環給水システム。
【手続補正２】
【補正対象書類名】明細書
【補正対象項目名】０００６
【補正方法】変更
【補正の内容】
【０００６】
（１）本発明の水の循環給水システムは、
水槽内の水を常時循環させる常時循環路と、
水槽からオーバーフローした水を一旦オーバーフロー回収タンクに導入した後に合流点で常時循環路に合流させるオーバーフロー循環路とを備え、
常時循環路における前記合流点の上流側に第１の流量調節手段を設置するとともに、
オーバーフロー循環路における前記合流点の上流側に第２の流量調節手段を設置し、
制御部は、
運転開始時において、
常時循環路の第１の流量調節手段を開いて、
水槽の水を常時循環路に通水して循環させた後、
第２の流量調節手段を開いて、
オーバーフロー回収タンクの水を、上記すでに循環を開始している常時循環回路の循環水と合流点において合流させて、水槽からのオーバーフローを開始させ、
オーバーフロー水をオーバーフロー回収タンクに戻し、
オーバーフロー回収タンクの水位レベルを水位センサーで測定し、
オーバーフロー回収タンクの水位レベルが所定のレベルになるように、
第２の流量調節手段の開度を制御し、
水槽の水を常時オーバーフローの状態で、通水量の総和を一定に保った通常運転をするとともに、
この時点での第１の流量調節手段及び第２の流量調節手段の開度を記憶し、
水槽からのオーバーフロー水が急増した異常運転時において、
水位レベルが上昇したオーバーフロー回収タンクの水位センサーからの信号を検知して、
第２の流量調節手段を急速に開いてオーバーフロー循環路の循環通水量を増加させ、上昇するオーバーフロー回収タンクの水位レベルの上昇を抑え、
その一方で、常時循環回路からの循環水を減少させるため、第１の流量調節手段の開度を絞り、
オーバーフロー回収タンクの水位レベルが上記通常運転時の水位レベルに戻った時点で、
第１の流量調節手段及び第２の流量調節手段の開度を前記記憶した開度に戻し、通常運転時の状態に復帰させる水の循環給水システムであって、
前記水槽の水を常時オーバーフローの状態で通水量の総和を一定に保った通常運転は、
第１の流量調節手段及び第２の流量調節手段の下流に設けた流量計で計測した通水量の信号を制御部に送信し、
また、合流点の下流点に設けた流量計で計測した通水量の信号を制御部Ｃに送信し、
制御部によって、第１の流量調節手段の通水量及び第２の流量調節手段の通水量をそれぞれ制御し、合流点に流れ込む通水量の総和を制御するようにすることを特徴とする。
（２）本発明の水の循環給水システムは、前記（１）において、
前記制御部は、
水槽の底に設けた超音波などを利用する水位センサーからの信号を受けて、
所定値よりも水槽の水位レベルが低い場合は、
補給路に設けられた電動式開閉弁を開にして補給水をオーバーフロー回収タンクに供給して、水槽の水位レベルを上げ、
所定値よりも水位レベルが高い場合は、
補給路に設けられた電動式開閉弁を閉にすることを特徴とする。
（３）本発明の水の循環給水システムは、前記（１）又は（２）において、
前記第１の流量調節手段が常時循環水調節バルブであり、
前記第２の流量調節手段がオーバーフロー水調節バルブであることを特徴とする。
（４）本発明の水の循環給水システムは、前記（１）又は（２）において、
前記第１の流量調節手段が濾過ポンプであり、
前記第２の流量調節手段がオーバーフロー回収ポンプであることを特徴とする。